(57)【特許請求の範囲】
【請求項１】
背後からの光により表面に描かれた透光性の図形が照明される操作ノブと、
図形や数字等を描いた作動表示用の蛍光体を発光させて機器の作動状態を表示する蛍光表示管と、
前記操作ノブを前面から押圧操作するための穴、および前記作動表示用の蛍光体が発する蛍光を通過させる窓を開けた意匠枠とを組み付けた表示パネルにおいて、
前記作動表示用の蛍光体とは別にノブ照明用の蛍光体を蛍光表示管内に配置し、前記ノブ照明用の蛍光体が発する蛍光でもって前記操作ノブを照明することを特徴とする表示パネル。
【請求項２】
前記蛍光表示管は表示面が横長形状を呈し、
前記蛍光表示管の上端部、下端部、または上下端部に前記ノブ照明用の蛍光体を形成したことを特徴とする請求項１記載の表示パネル。
【請求項３】
入光面が前記ノブ照明用の蛍光体に臨み、出光面が前記操作ノブの背面に臨むプリズムを前記表示パネル内に配置したことを特徴とする請求項１または請求項２記載の表示パネル。
【発明の詳細な説明】
【０００１】
【発明の属する技術分野】
本発明は、背後からの光により、表面に描かれた比較的広い面積の透光性の図形を照明する表示パネルに関する。
【０００２】
【従来の技術】
従来より、図４に示す様に、機器の作動状態を表示する表示器１０１と、基板１０２に白熱ランプ１０３が配設され、各吹出モードを示す透光性の図形が描かれた操作ノブ１０４（プラスチック）を押圧すると、該当する吹出モードを有効にするスイッチ１０５がオンする空調装置の表示パネル１００が知られている。
【０００３】
【発明が解決しようとする課題】
上記従来の技術は、下記に示す課題を有する。
操作ノブ１０４、リフレクタ１０６（プラスチック）、および基板１０２で囲まれた閉空間１０７の空気が白熱ランプ１０３の発する熱により加熱される。このため、リフレクタ１０６や操作ノブ１０４（プラスチック製）が熱変形する恐れがある。
白熱ランプ１０３をＬＥＤに変更すると熱害の恐れはなくなるが、操作ノブ１０４に描かれた透光性の図形は比較的面積が広いので、指向性が強いＬＥＤの光で照らすと場所によって明るさがバラツキ、見栄えが悪くなるので変更できない。
白熱ランプ１０３は、寿命が比較的短いとともに振動に弱く、球切れを起こし易い。
【０００４】
本発明の目的は、操作ノブの表面に描かれた比較的広い面積の透光性の図形を、熱害を伴わずに背後からの光源により均一的に照明可能な表示パネルの提供にある。
【０００５】
【課題を解決するための手段】
［請求項１について］
意匠枠には、操作ノブを前面から押圧操作するための穴と、作動表示用の蛍光体が発する蛍光を通過させる窓とが開けられている。
図形や数字等を描いた作動表示用の蛍光体が発光し、使用者は、意匠枠の窓を通して作動表示用の蛍光体の発光状態を見ることにより機器の作動状態を把握する。
蛍光表示管内には、作動表示用の蛍光体とは別にノブ照明用の蛍光体が配置され、このノブ照明用の蛍光体が発する蛍光でもって操作ノブが照明される。
【０００６】
ノブ照明用の蛍光体は、発光面積が広いとともに熱を殆ど出さない。
このため、表示パネルは、操作ノブの表面に描かれた比較的広い面積の透光性の図形を操作ノブ等を熱変形させずに均一的に照明できる。
【０００７】
〔請求項２について〕
表示面が横長形状を呈する蛍光表示管の上端部、下端部、または上下端部にノブ照明用の蛍光体を形成している。
このため、ノブ照明用の蛍光体を蛍光表示管内に容易に配置できるとともに、ノブ照明用の蛍光体が発する蛍光が窓から漏れ出ない。
【０００８】
〔請求項３について〕
入光面がノブ照明用の蛍光体に臨み、出光面が操作ノブの背面に臨むプリズムを表示パネル内に配置している。
これにより、操作ノブの配置の自由度を高めることができる。また、操作ノブを、ノブ照明用の蛍光体の上方または下方に配置すれば、長い操作ストロークを確保できる。
【０００９】
【発明の実施の形態】
本発明の第１実施例（請求項１、２、３に対応）を、図１および図２に基づいて説明する。
操作パネル（表示パネル）Ａは、車載用空調装置の操作と表示を行うためのものであり、車室のインパネセンターに配設される。
図１および図２に示す様に、操作パネルＡは、操作ノブ１と、操作ノブ１の押圧操作により接点がオンするスイッチ２と、基板３１に配設され、機器の作動状態を表示する蛍光表示管３と、プリズム４と、フロントケース（意匠枠）５とを組み付けてなる。
【００１０】
ＡＢＳ製の操作ノブ１（六個）は、蛍光表示管３の上側及び下側に位置し、長方形の操作部１３と、基端に押圧片１４１を有する筒部１４とを備え、黒色に塗色されている。
操作部１３の前面には、塗色を行わないことにより透光性を呈するフロントデフ図形１１やリヤデフ図形１２等が描かれており、後述する出光面４３から出射する蛍光３６０により背後から照明されて光る。
そして、操作ノブ１を押圧操作すると、操作部１３に描かれた図形に対応する制御が実行される。
スイッチ２は、押圧部２１が押圧片１４１により押圧されると内部の接点が導通するラバースイッチである。
【００１１】
蛍光表示管３は、電子線により蛍光体の励起発光現象を利用する一種の真空管であり、ガラス基板３２、フィラメント（陰極）、セグメント（陽極）、グリッド、排気管３３、カバーガラス３４、および多数の電極端子を備える。
蛍光表示管３は、前面の表示面３０が横長形状を呈し、中央部に作動表示用のセグメント（作動表示用の蛍光体）３５を形成し、上下端部にノブ照明用のセグメント（ノブ照明用の蛍光体）３６を形成している。
【００１２】
作動表示用のセグメント３５は、フロントデフモードを示すフロントデフモード図形、リヤデフモードを示すリヤデフモード図形、吹出風向を矢印で示す吹出風向図形、Ａ／Ｃのオン状態を示すＡ／Ｃ図形、ファンの作動を示すファン図形、外気温を表示するための数字、及び内外気モードを表示する内外気図形で構成されている。
ノブ照明用のセグメント３６は、横長の長方形状を呈し、ヘッドライトやスモール点灯時に発光する。
【００１３】
セグメントが発光する原理を以下に示す。
フィラメントに電圧を印加すると、フィラメントが加熱されて熱電子を放射し、金属メッシュ製のグリッドに正の電圧が印加されるのでフィラメントからの電子を作動表示用のセグメント３５およびノブ照明用のセグメント３６への一様な拡散と加速制御を行う。
各セグメントには、蛍光体が塗布されており、正の電圧が印加されることにより、加速された電子が蛍光体面に衝突して発光現象が生じる。
【００１４】
プリズム４（上下で二個）は、上部４１が三つに分岐し、操作ノブ１の背後のフロントケース５内に配置される。このプリズム４は、入光面４２がノブ照明用のセグメント３６に臨み、出光面４３が操作ノブ１の背面に臨む。そして、ノブ照明用のセグメント３６が発する蛍光３６０は、下部反射面４４で上方向に反射し、下部４５から上部に進み、上部反射面４６で前方向に反射し、出光面４３から操作ノブ１の背面に到達する（図２参照）。
【００１５】
フロントケース（プラスチック製）５は、基板３１、スイッチ２、蛍光表示管３、及びプリズム４を包囲する函状を呈する。このフロントケース５の前面には、操作ノブ１を前面から操作するための穴５１（六個）、及び作動表示用のセグメント３５が発する蛍光を通過させるための透光板５２１を嵌め込んだ窓５２が形成されている。
【００１６】
本実施例の操作パネルＡは、以下の利点を有する。
〔ア〕夜間（ヘッドライトやスモール点灯時）、蛍光表示管３の上下端部に形成したノブ照明用のセグメント３６が発する蛍光により操作ノブ１を背後から照明してフロントデフ図形１１やリヤデフ図形１２を光らせている。尚、ノブ照明用のセグメント３６は、発光面積が広いとともに熱を殆ど出さない。
このため、操作パネルＡは、操作ノブ１やリフレクタを熱変形させずに、操作ノブ１の表面に描かれた比較的広い面積のフロントデフ図形１１やリヤデフ図形１２等を均一的に照明することができる。
【００１７】
尚、蛍光表示管３の上下端部にノブ照明用のセグメント３６を形成する構成であるので、ノブ照明用のセグメント３６を蛍光表示管３内に容易に配置できるとともに、作動表示用のセグメント３５が発する蛍光が、ノブ照明用のセグメント３６が発する蛍光３６０に影響されない（蛍光３６０が窓５２から漏れ出ないため）。
【００１８】
〔イ〕入光面４２がノブ照明用のセグメント３６に臨み、出光面４３が操作ノブ１の背面に臨むプリズムをフロントケース５内に配置している。
このため、蛍光表示管３の上方や下方に操作ノブ１を配置することができ、見栄えが良いとともに、操作性に優れる（長い操作ストロークを確保できる）。
【００１９】
つぎに、本発明の第２実施例（請求項１、２に対応）を図３に基づいて説明する。
本実施例の操作パネルＢは、下記の点が操作パネルＡと異なる。
操作ノブ１（六個）は、第１実施例の操作パネルＡの操作ノブ１より蛍光表示管３寄りに配置されている。
【００２０】
蛍光表示管３は、第１実施例の操作パネルＡの蛍光表示管３より縦方向の長さが長く設定され、中央部に作動表示用のセグメント（作動表示用の蛍光体）３５を形成し、上下端部にノブ照明用のセグメント（ノブ照明用の蛍光体）３６を形成している。
【００２１】
本実施例では、プリズム４を使用せず、ノブ照明用のセグメント３６が発する蛍光３６０は、カバーガラス３４を通過後、直接、操作ノブ１の背面に到達する。
【００２２】
本実施例の操作パネルＢは、以下の利点を有する。
〔ウ〕夜間（ヘッドライトやスモール点灯時）、蛍光表示管３の上下端部に形成したノブ照明用のセグメント３６が発する蛍光により操作ノブ１を背後から照明してフロントデフ図形１１やリヤデフ図形１２を光らせている。尚、ノブ照明用のセグメント３６は、発光面積が広いとともに熱を殆ど出さない。
このため、操作パネルＢは、操作ノブ１やリフレクタを熱変形させずに、操作ノブ１の表面に描かれた比較的広い面積のフロントデフ図形１１やリヤデフ図形１２等を均一的に照明することができる。
〔エ〕プリズム４が不要であるので、部品点数を減らすことができる。
【図面の簡単な説明】
【図１】本発明の第１実施例に係る操作パネルの正面図である。
【図２】その操作パネルのＳ‐Ｓ’線断面図である。
【図３】本発明の第２実施例に係る操作パネルの断面図である。
【図４】従来技術に係る操作パネルの断面図である。
【符号の説明】
Ａ、Ｂ  表示パネル（操作パネル）
１  操作ノブ
３  蛍光表示管
４  プリズム
５  フロントケース（意匠枠）
１１  フロントデフ図形
１２  リヤデフ図形
３５  作動表示用のセグメント（作動表示用の蛍光体）
３６  ノブ照明用のセグメント（ノブ照明用の蛍光体）
３６０  蛍光（光）
【図１】
0003948114.tif 000002
【図２】
0003948114.tif 000003
【図３】
0003948114.tif 000004
【図４】
0003948114.tif 000005